(57)【要約】【課題】縦横やアスペクト比の切り換えを行うにあたって煩雑な指標を必要としない撮像装置および撮像装置の制御方法を提供する。【解決手段】被写体像を画像データとして出力する撮像素子２２１と、ファインダで被写体像を観察する人の視線を検出する視線検出回路２１０を有し、ファインダ視野の周辺に視線領域５０１ａ、５０１ｂ、５０３ａ、５０３ｂを設け、視線検出回路２１０によって視線領域に視線を検出すると、画像データ出力領域の縦横及び／又はアスペクト比を制御する。【選択図】  図１２
2010171564.tif 000002
【特許請求の範囲】
【請求項１】
被写体像を画像データとして出力する撮像部と、
上記被写体像を観察するファインダと、
上記ファインダを観察する人の視線を検出する視線検出部と、
上記視線に応じて、上記撮像部の画像データ出力領域の縦横及び／又はアスペクト比を制御する撮像領域制御部と、
を有することを特徴とする撮像装置。
【請求項２】
上記撮像領域制御部は、上記ファインダの周辺領域への視線を検出した際に、上記撮像部の画像データ出力領域の縦横及び／又はアスペクト比を制御することを特徴とする請求項１に記載の撮像装置。
【請求項３】
上記撮像領域制御部は、
上記ファインダの上辺部又は下辺部への視線を検出すると、上記撮像部の画像データ出力領域の上下を広げる及び／又は左右を縮めるように制御し、
上記ファインダの左辺部又は右辺部への視線を検出すると、上記撮像部の画像データ出力領域の左右を広げる及び／又は左右を縮めるように制御する
ことを特徴とする請求項２に記載の撮像装置。
【請求項４】
上記撮像領域制御部は、
上記ファインダの上辺部又は下辺部の表示領域外への視線を検出すると、上記撮像部の画像データ出力領域の上下を広げる及び／又は左右を縮めるように制御し、
上記ファインダの上辺部又は下辺部の表示領域内への視線を検出すると、上記撮像部の画像データ出力領域の上下を縮める及び／又は左右を広げるように制御し、
上記ファインダの左辺部又は右辺部の表示領域外への視線を検出すると、上記撮像部の画像データ出力領域の左右を広げる及び／又は上下を縮めるように制御し、
上記ファインダの左辺部又は右辺部の表示領域内への視線を検出すると、上記撮像部の画像データ出力領域の左右を縮める及び／又は上下を広げるように制御する
ことを特徴とする請求項２に記載の撮像装置。
【請求項５】
上記撮像領域制御部は、
上記ファインダの上辺部又は下辺部の表示領域外への視線を検出すると、この検出した視線の上記ファインダにおける中央からの距離に応じて、上記撮像部の画像データ出力領域の上下を広げる及び／又は左右を縮めるように制御し、
上記ファインダの左辺部又は右辺部の表示領域外への視線を検出すると、この検出した視線の上記ファインダにおける中央からの距離に応じて、上記撮像部の画像データ出力領域の左右を広げる及び／又は上下を縮めるように制御する
ことを特徴とする請求項２に記載の撮像装置。
【請求項６】
上記撮像領域制御部は、上記検出した視線の上記ファインダにおける中央からの距離が遠くなる程、上記撮像部の画像データ出力領域のアスペクト比が大きくなるように制御することを特徴とする請求項５に記載の撮像装置。
【請求項７】
上記撮像領域制御部は、上記視線の移動速度を検出し、この速度が速いほど、上記撮像部の画像データ出力領域のアスペクト比が大きくなるように制御することを特徴とする請求項２に記載の撮像装置。
【請求項８】
上記視線検出部は、ファインダの視野の周辺に視線領域を設け、この視線領域において撮影者の視線を検出した場合に、上記撮像部の画像データ出力領域の縦横及び／又はアスペクト比を制御することを特徴とする請求項１に記載の撮像装置。
【請求項９】
上記撮像領域制御部は、上記視線領域において視線を検出すると、上記撮像部の画像データ出力領域の縦横及び／又はアスペクト比について、予め定められた順序で、１段階ずつ変更することを特徴とする請求項８に記載の撮像装置。
【請求項１０】
上記視線検出部は、上記ファインダの視野の周辺の外側と内側にそれぞれ視線領域を設け、
上記撮像領域制御部は、上記外側の視線領域と、上記内側の視線領域が検出された場合には、上記撮像部の画像データ出力領域の縦横及び／又はアスペクト比の変更順序を異ならせることを特徴とする請求項８に記載の撮像装置。
【請求項１１】
上記視線検出部は、上記ファインダの視野の周辺に複数の視線領域を設け、
上記撮像領域制御部は、検出された視線領域が上記視野の画角中心からの距離が離れるほど、上記撮像部の画像データ出力領域のアスペクト比が大きくなるように制御することを特徴とする請求項８に記載の撮像装置。
【請求項１２】
上記視線検出部は、視線の移動速度を検出可能であり、
上記撮像領域制御部は、検出された視線の上記移動速度が速いほど、上記撮像部の画像データ出力領域のアスペクト比が大きくなるように制御することを特徴とする請求項８に記載の撮像装置。
【請求項１３】
被写体像を画像データとして出力し、
上記被写体像を観察する人の視線を検出し、
上記視線に応じて、上記画像データ出力領域の縦横及び／又はアスペクト比を制御する、
ことを特徴とする撮像装置の制御方法。
【発明の詳細な説明】
【技術分野】
【０００１】
本発明は、撮像装置および撮像装置の制御方法に関し、詳しくは、縦横やアスペクト比等を変更可能な撮像装置および撮像装置の制御方法に関する。
【背景技術】
【０００２】
近年、デジタルカメラ等の撮像装置においては、縦横やアスペクト比を変更可能とした撮像装置が提案されている。例えば、特許文献１には、本体の向きを変えることなく撮像画面の縦横の比率を変化させることのできるようにした電子写真装置が開示されている。この電子写真装置においては、縦方向拡大ボタンまたは横方向拡大ボタンを操作することにより、正方形の撮像素子から縦方向と横方向の撮像有効範囲を変化させている。
【０００３】
また、フィルムカメラであるが、特許文献２には、視線位置検出手段を有し、ファインダ内の指標を注視していることを検出した場合に、ノーマルサイズ画面とパノラマサイズ画面の切り換えを行うようにしたカメラが開示されている。このカメラでは、ファインダ内のノーマルサイズマークと、パノラマサイズマークのいずれを注視したかによって、切り換えを行っている。
【先行技術文献】
【特許文献】
【０００４】
【特許文献１】特開２００２−１７６５８１号公報
【特許文献２】特開平７−１４６４３１号公報
【発明の概要】
【発明が解決しようとする課題】
【０００５】
前述の特許文献１に開示の電子写真装置は、正方形の撮像素子から画像データを切り出すことにより、縦横様々なアスペクト比の画像を得ることができるものの、縦横やアスペクト比を切り換えるにあたって、手動で切換釦の切換操作を行わなければならず、煩わしいものであった。そこで、特許文献２に開示されている視線位置検出手段を利用することが考えられる。しかし、このカメラでは、画面サイズの数だけマークを設ける必要があり、多数の縦横やアスペクト比に切り換え可能な撮像装置においては、画面サイズの数だけマークを設けなければならず、ファインダ内が煩雑になると同時に、切り換えミスが発生するおそれがある。
【０００６】
本発明は、このような事情を鑑みてなされたものであり、縦横やアスペクト比の切り換えを行うにあたって煩雑な指標を必要としない撮像装置および撮像装置の制御方法を提供することを目的とする。
【課題を解決するための手段】
【０００７】
上記目的を達成するため第１の発明に係わる撮像装置は、被写体像を画像データとして出力する撮像部と、上記被写体像を観察するファインダと、上記ファインダを観察する人の視線を検出する視線検出部と、上記視線に応じて、上記撮像部の画像データ出力領域の縦横及び／又はアスペクト比を制御する撮像領域制御部と、を有する。
【０００８】
第２の発明に係わる撮像装置は、上記第１の発明において、上記撮像領域制御部は、上記ファインダの周辺領域への視線を検出した際に、上記撮像部の画像データ出力領域の縦横及び／又はアスペクト比を制御する。
第３の発明に係わる撮像装置は、上記第２の発明において、上記撮像領域制御部は、上記ファインダの上辺部又は下辺部への視線を検出すると、上記撮像部の画像データ出力領域の上下を広げる及び／又は左右を縮めるように制御し、上記ファインダの左辺部又は右辺部への視線を検出すると、上記撮像部の画像データ出力領域の左右を広げる及び／又は左右を縮めるように制御する。
【０００９】
第４の発明に係わる撮像装置は、上記第２の発明において、上記撮像領域制御部は、上記ファインダの上辺部又は下辺部の表示領域外への視線を検出すると、上記撮像部の画像データ出力領域の上下を広げる及び／又は左右を縮めるように制御し、上記ファインダの上辺部又は下辺部の表示領域内への視線を検出すると、上記撮像部の画像データ出力領域の上下を縮める及び／又は左右を広げるように制御し、上記ファインダの左辺部又は右辺部の表示領域外への視線を検出すると、上記撮像部の画像データ出力領域の左右を広げる及び／又は上下を縮めるように制御し、上記ファインダの左辺部又は右辺部の表示領域内への視線を検出すると、上記撮像部の画像データ出力領域の左右を縮める及び／又は上下を広げるように制御する。
【００１０】
第５の発明に係わる撮像装置は、上記第２の発明において、上記撮像領域制御部は、上記ファインダの上辺部又は下辺部の表示領域外への視線を検出すると、この検出した視線の上記ファインダにおける中央からの距離に応じて、上記撮像部の画像データ出力領域の上下を広げる及び／又は左右を縮めるように制御し、上記ファインダの左辺部又は右辺部の表示領域外への視線を検出すると、この検出した視線の上記ファインダにおける中央からの距離に応じて、上記撮像部の画像データ出力領域の左右を広げる及び／又は上下を縮めるように制御する。
【００１１】
第６の発明に係わる撮像装置は、上記第５の発明において、上記撮像領域制御部は、上記検出した視線の上記ファインダにおける中央からの距離が遠くなる程、上記撮像部の画像データ出力領域のアスペクト比が大きくなるように制御する。
第７の発明に係わる撮像装置は、上記第２の発明において、上記撮像領域制御部は、上記視線の移動速度を検出し、この速度が速いほど、上記撮像部の画像データ出力領域のアスペクト比が大きくなるように制御する。
【００１２】
第８の発明に係わる撮像装置は、上記第１の発明において、上記視線検出部は、ファインダの視野の周辺に視線領域を設け、この視線領域において撮影者の視線を検出した場合に、上記撮像部の画像データ出力領域の縦横及び／又はアスペクト比を制御する。
【００１３】
第９の発明に係わる撮像装置は、上記第８の発明において、上記撮像領域制御部は、上記視線領域において視線を検出すると、上記撮像部の画像データ出力領域の縦横及び／又はアスペクト比について、予め定められた順序で、１段階ずつ変更する。
第１０の発明に係わる撮像装置は、上記第８の発明において、上記視線検出部は、上記ファインダの視野の周辺の外側と内側にそれぞれ視線領域を設け、上記撮像領域制御部は、上記外側の視線領域と、上記内側の視線領域が検出された場合には、上記撮像部の画像データ出力領域の縦横及び／又はアスペクト比の変更順序を異ならせる。
【００１４】
第１１の発明に係わる撮像装置は、上記第８の発明において、上記視線検出部は、上記ファインダの視野の周辺に複数の視線領域を設け、上記撮像領域制御部は、検出された視線領域が上記視野の画角中心からの距離が離れるほど、上記撮像部の画像データ出力領域のアスペクト比が大きくなるように制御する。
第１２の発明に係わる撮像装置は、上記第８の発明において、上記視線検出部は、視線の移動速度を検出可能であり、上記撮像領域制御部は、検出された視線の上記移動速度が速いほど、上記撮像部の画像データ出力領域のアスペクト比が大きくなるように制御する。
【００１５】
第１３の発明に係わる撮像装置の制御方法は、被写体像を画像データとして出力し、上記被写体像を観察する人の視線を検出し、上記視線に応じて、上記画像データ出力領域の縦横及び／又はアスペクト比を制御する。
【発明の効果】
【００１６】
本発明によれば、縦横やアスペクト比の切り換えを行うにあたって煩雑な指標を必要としない撮像装置および撮像装置の制御方法を提供することができる。
【図面の簡単な説明】
【００１７】
【図１】本発明の第１実施形態に係わるデジタルカメラの正面側からみた外観斜視図である。
【図２】本発明の第１実施形態に係るデジタルカメラの背面側から見た外観斜視図である。
【図３】本発明の第１実施形態に係わるデジタルカメラにおいて電気回路を示すブロック図である。
【図４】本発明の第１実施形態に係わるデジタルカメラにおいて撮像素子のイメージサークルと縦横位置およびアスペクト比を示す図である。
【図５】本発明の第１実施形態におけるデジタルカメラにおいて、パワーオンリセットの動作を示すフローチャートである。
【図６】本発明の第１実施形態におけるデジタルカメラにおいて、撮影動作を示すフローチャートである。
【図７】本発明の第１実施形態におけるデジタルカメラにおいて、設定変更の動作を示すフローチャートである。
【図８】本発明の第１実施形態におけるデジタルカメラにおいて、ライブビュー表示の動作を説明する図であり、（ａ）はライブビュー表示のフローチャートであり、（ｂ）は横位置４：３でのライブビュー表示を示し、（ｃ）は横位置１：９でのライブビュー表示を示し、（ｄ）は縦位置２：３でのライブビュー表示を示し、（ｅ）は縦位置９：１６でのライブビュー表示を示す。
【図９】本発明の第１実施形態におけるデジタルカメラにおいて、再生動作を示すフローチャートである。
【図１０】本発明の第１実施形態におけるデジタルカメラにおいて、液晶モニタ動作を示すフローチャートである。
【図１１】本発明の第１実施形態におけるデジタルカメラにおいて、アスペクト切り換え動作を示すフローチャートである。
【図１２】本発明の第１実施形態におけるデジタルカメラにおいて、画像データ出力領域と表示の関係を示す図であり、（Ａ）はイメージサークルとイメージセンサの関係を示す図であり、（Ｂ）はファインダ内における方向を示す図であり、（Ｃ）はファインダ内における視線領域を示す図である。
【図１３】本発明の第１実施形態におけるデジタルカメラにおいて、アスペクト切り換えの際に使用するテーブルを示し、（Ａ）はテーブル１、（Ｂ）はテーブル２を示す。
【図１４】本発明の第１実施形態におけるデジタルカメラにおいて、アスペクト比が切り換えられていく様子を示す図であり、（Ａ）は縦位置から横位置に変化する場合を示し、（Ｂ）は横位置から縦位置に変化する場合を示す。
【図１５】本発明の第２実施形態におけるデジタルカメラにおいて、アスペクト切り換え動作を示すフローチャートである。
【図１６】本発明の第２実施形態におけるデジタルカメラにおいて、ファインダ内における視線領域を示す図である。
【図１７】本発明の第２実施形態におけるデジタルカメラにおいて、アスペクト切り換えの際に使用するテーブルを示し、（Ａ）はテーブル３、（Ｂ）はテーブル４を示す。
【図１８】本発明の第２実施形態におけるデジタルカメラにおいて、アスペクト比が切り換えられていく様子を示す図であり、（Ａ）は縦位置から横位置に変化する場合を示し、（Ｂ）は横位置から縦位置に変化する場合を示す。
【図１９】本発明の第３実施形態におけるデジタルカメラにおいて、アスペクト切り換え動作を示すフローチャートである。
【図２０】本発明の第３実施形態におけるデジタルカメラにおいて、ファインダ表示における表示領域を示す図であり、（Ａ）は横位置における表示領域を示し、（Ｂ）は縦位置における表示領域を示す。
【図２１】本発明の第３実施形態におけるデジタルカメラにおいて、アスペクト切り換えの際に使用するテーブルを示し、（Ａ）はテーブル５、（Ｂ）はテーブル６を示す。
【図２２】本発明の第３実施形態におけるデジタルカメラにおいて、アスペクト比が切り換えられていく様子を示す図であり、（Ａ）は縦位置から横位置に変化する場合を示し、（Ｂ）は横位置から縦位置に変化する場合を示す。
【図２３】本発明の第４実施形態におけるデジタルカメラにおいて、設定変更の動作を示すフローチャートである。
【図２４】本発明の第４実施形態におけるデジタルカメラにおいて、アスペクト切り換え動作を示すフローチャートである。
【図２５】本発明の第３実施形態におけるデジタルカメラにおいて、アスペクト比が切り換えられていく様子を示す図であり、（Ａ）は縦位置から横位置に変化する場合を示し、（Ｂ）は横位置から縦位置に変化する場合を示す。
【図２６】本発明の第３実施形態におけるデジタルカメラにおいて、アスペクト切り換えの際に使用するテーブルを示し、（Ａ）はテーブル７、（Ｂ）はテーブル８を示す。
【発明を実施するための形態】
【００１８】
以下、図面に従って本発明を適用したデジタルカメラを用いて好ましい実施形態について説明する。図１は、本発明の第１実施形態に係わるデジタル一眼レフレックスカメラの正面から見た外観図であり、図２は、このデジタル一眼レフレックスカメラの背面側から見た外観斜視図である。
【００１９】
図１に示すカメラ本体２００の前面の略中央には、交換レンズ１００を装着するためのボディマウント２４が設けてある。このボディマウント２４より少し奥まった位置には、交換レンズ１００と接続し、通信を行うための通信接点３４１が配置されている。また、ボディマウント２４よりカメラ本体２００の内部側はミラーボックスであり、ミラーボックス内には、可動ミラー２０１等が配置されている。
【００２０】
また、カメラ本体２００の正面左側のグリップ部の上部には、レリーズ釦２１が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピント合わせ、被写体輝度の測光等の撮影動作を行い、第２レリーズスイッチ（以下、２Ｒと称する）のオンにより撮像素子２２１（図３参照）の出力に基づいて被写体像の画像データの取り込みを行う露光動作を実行する。
【００２１】
また、カメラ本体２００の正面左側グリップ部には、前ダイアル２２が配置されている。この前ダイアル２２は、時計方向および反時計方向に回転自在であり、その回転方向と回転量が検知され出力される。
【００２２】
カメラ本体２００の上部には、被写体に補助光を照射するための内蔵フラッシュ５０が収納されている。内蔵フラッシュ５０をポップアップ状態とすると、使用状態となり、その発光部は被写体に向けた位置となる。
【００２３】
カメラ本体２００の上面には、コントロールパネル４０が配置されている。このコントロールパネル４０は、液晶等の表示装置であって、撮影にあたっての絞り値やシャッタ速度値等の撮影情報が表示される。
【００２４】
図２に示すように、カメラ本体２００の背面の右上には、後ダイアル２３が配置されている。後ダイアル２３も、前ダイアル２２と同様、時計方向および反時計方向に回転自在であり、その回転方向と回転量が検知され出力される。
【００２５】
後ダイアル２３の下側には、ライブビュー表示釦（以下、ＬＶ表示釦と称す）３１が配置されている。ライブビュー表示は、撮像素子によって取得した画像データに基づいて被写体像観察用に液晶モニタ等の表示装置に被写体像を表示することをいう。このＬＶ表示釦３１を操作することにより、ライブビュー表示モードを設定し、また再度操作するとライブビュー表示モードの解除を行う。
【００２６】
ＬＶ表示釦３１の下側には、十字釦３２が配置されている。この十字釦３２は上側十字釦、下側十字釦、右側十字釦、左側十字釦の４つの釦からなり、背面液晶モニタ３９上にカーソルが表示されている場合に、このカーソルの移動等に用いる。４つの十字釦３２のほぼ中心にＯＫ釦３３が配置されている。このＯＫ釦３３は、十字釦３２によって選択された項目の決定を行うための操作部材である。
【００２７】
十字釦３２の下側には、パワースイッチ３４が配置されている。このパワースイッチ３４は、このカメラのカメラ動作の実行を制御するための操作部材である。すなわち、本実施形態に係わるカメラは、パワースイッチ３４がオン状態の場合に、種々の動作を実行し、オフの場合にはカメラ動作を実行しない。
【００２８】
カメラ本体２００の背面の略中央の上部には、接眼部３８が設けられており、この中に接眼レンズ２０９が配置されている。カメラ本体２００は一眼レフレックスカメラであり、内部には、可動ミラー２０１やペンタプリズム２０７等のファインダ光学系（図３参照）が配置され、このファインダ光学系を通過した被写体光束が、この接眼レンズ２０９より出射する。撮影者は接眼レンズ２０９を介して、光学的に被写体像を観察することができる。
【００２９】
接眼部３８の下側には、背面液晶モニタ（以下、背面ＬＣＤと称す）３９が配置されている。背面ＬＣＤ３９は、ライブビュー表示を行い、また、記録済みの被写体像を再生表示し、撮影情報やメニューを表示するための表示装置である。これらの表示を行うことができるものであれば、液晶に限らない。また、本実施形態においては、カメラ本体２００の背面に配置しているが、撮影者が観察できる位置であれば、背面に限られない。
【００３０】
背面ＬＣＤ３９の下側であって、パワースイッチ３４の左側には、メニュー釦３５が配置されている。このメニュー釦３５はメニューモードに設定し、また解除するための操作部材である。メニューモードは、このカメラの種々のモードやその他の設定を行うモードであり、メニューモードに設定されると、背面ＬＣＤ３９にメニュー表示がなされる。撮影者は、このメニュー表示の中から好みのモード等を十字釦３２によって選択し、ＯＫ釦３３によって確定する。
【００３１】
メニュー釦３５の左側には、再生釦３６が配置されている。この再生釦３６は、記録媒体等に記録された画像データを読み出し、この画像データに基づいて被写体像を背面ＬＣＤ３９に再生表示する再生モードを指示する操作部材である。
【００３２】
再生釦３６の左側には、縦横釦３７が配置されている。この縦横釦３７はライブビュー表示モードの際に縦長画像と横長画像のいずれかを手動で選択するための操作部材である。後述するように、本実施形態に係わるカメラの撮像素子２２１は、ほぼ正方形状をしており、この撮像素子によって出力される画像データ中から、縦長画像や横長画像の画像データを選択して表示し、記録媒体に記録する。縦長画像や横長画像の選択は、本実施形態においては、光学ファインモードの場合には、視線検出を利用して自動的に行っているが、この縦横釦３７を利用して手動選択するようにしても良い。
【００３３】
次に、本実施形態に係わるデジタル一眼レフカメラの電気回路について、図３に示すブロック図を用いて説明する。このデジタル一眼レフカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００３４】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また光学系１０１の焦点距離は、ズーム位置検出機構１０６によって、それぞれ検出される。
【００３５】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００３６】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００３７】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００３８】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００３９】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、フォーカシングスクリーン２０４上に結像した被写体像の内の任意に部分について、被写体像をファインダ光学系に導くことができる。
【００４０】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００４１】
ペンタプリズム２０７の出射側(図３で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００４２】
また、ファインダ内に、視線検出回路２１０の視線検出用センサが配置されている。この視線検出回路２１０の検出出力に基づいて、後述するように、縦長画像や横長画像、またアスペクト比の切り換えを行う。ファインダ内の視野の周辺には、図１２（Ｃ）に示すように、縦横位置やアスペクト比を切り換えるための視線領域を設けてある。すなわち、視野の左側周辺には水平方向切換視線領域５０１ａ、視野の右側周辺には水平方向切換視線領域５０１ｂ、視野の上側周辺には鉛直方向切換領域５０３ａ、視野の下側周辺には鉛直方向切換領域５０３ｂが、それぞれ設けてある。視線検出回路２１０によって、撮影者の視線がいずれの領域を見ているかを検出することができる。
【００４３】
なお、本実施形態においては、図１２（Ｂ）に示すように、ファインダ視野に対して水平方向をＨ方向、鉛直方向をＶ方向と称する場合がある。また、詳しくは、図４を用いて説明するが、ファインダ視野は、図１２（Ａ）に示すように、撮像素子２２１上のイメージサークル１２０内での画像データ出力領域に対応している。撮影光学系１０１によって、被写体像は左右上下反転していることから、撮像素子２２１上のｘ方向とｙ方向は、ファインダ視野上とは、左右上下反転している。
【００４４】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図３において破線位置）、ハーフミラー部を覆う位置に回動し、可動ミラー２０１が被写体像観察位置（下降位置）にあるときには、図示する如く可動ミラー２０１に対して開いた位置にある。
【００４５】
この可動ミラー２０１はミラー駆動機構２３９によって駆動されている。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００４６】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００４７】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００４８】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００４９】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００５０】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００５１】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００５２】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００５３】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００５４】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００５５】
前述の前処理回路２２５は、ＡＳＩＣ（Application Specific
Integrated Circuit  特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００５６】
コントラストＡＦ回路２５３は、前処理回路２２５から出力される画像信号に基づいて高周波成分を抽出し、この高周波成分に基づくコントラスト情報をボディＣＰＵ２５１に出力する。なお、コントラストＡＦ回路２５３は、高周波成分を抽出するにあたって、画面内の全領域について、抽出可能である。ＡＥ回路２５５は、前処理回路２２５から出力される画像信号に基づいて、被写体輝度に応じた測光情報をボディＣＰＵ２５１に出力する。
【００５７】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００５８】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００５９】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００６０】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。背面ＬＣＤ３９は、図２に示すように、カメラ本体２００の背面に配置されるが、撮影者が観察できる位置であれば、背面に限らないし、また液晶に限らず他の表示装置でも構わない。
【００６１】
シャッタレリーズ釦２１の第1ストローク（半押し）を検出する１Ｒスイッチや、第２ストローク（全押し）を検出する２Ｒスイッチ、ライブビュー表示釦３１の操作によってオンするライブビュー表示スイッチを含む各種スイッチ２６９は、スイッチ検知回路２６８を介してデータバス２５２に接続されている。また、各種スイッチ２６９としては、この他にも、メニュー釦３５に連動するメニュースイッチ、再生釦３６に連動する再生スイッチ、縦横釦３７に連動する縦横スイッチ、パワースイッチ３４等、その他の操作部材に連動する各種スイッチ等を含んでいる。
【００６２】
上述の防塵フィルタ駆動回路２３５、シャッタ駆動機構２３７、位相差ＡＦ処理回路２４３、ミラー駆動機構２３９、光源処理回路２４５、照度処理回路２４７、リモコン受信処理回路２４９、傾き検知回路２２８、シフト機構駆動回路２３１、測光処理回路２１２、視線検出回路２１０と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００６３】
レンズＣＰＵ１１１と通信接点３４１を介して接続された通信回路２７３は、データバス２５２に接続され、ボディＣＰＵ２５１等とのデータのやりとりや制御命令の通信を行う。
【００６４】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００６５】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００６６】
データバス２５２に接続された記録媒体制御回路２８３は、記録媒体Ａ２８５、記録媒体Ｂ２８７に接続され、これらの記録媒体Ａ２８５、Ｂ２８７への画像データ等の記録及び画像データ等の読み出しの制御を行う。
【００６７】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００６８】
ダイアル検知回路２８９は、前述の前ダイアル２２と後ダイアル２３にそれぞれ接続しており、それぞれのダイアルの回転方向および回転量を検知する。
【００６９】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００７０】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００７１】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００７２】
カメラ本体２００内に配置された内蔵フラッシュ５０は、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００７３】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００７４】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点３１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００７５】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００７６】
次に、本実施形態における縦横とアスペクト比について、図４を用いて説明する。撮像素子２２１の撮像面はほぼ正方形をしており、撮像素子２２１内であって、かつイメージサークル１２０内において、画像が得られる。このときの縦横の比率をアスペクト比という。本実施形態においては、４：３横長、４：３縦長、１６：９横長、１６：９縦長の４つのアスペクト比を採用している。もちろん、これとは異なるアスペクト比を採用しても構わない。ここで説明したアスペクト比は、後述する図７における設定変更のサブルーチンによって、変更できる。設定されたアスペクト比に基づいて、有効となる画像データ（画像データ出力領域）は、撮像素子駆動回路２２３から出力される画像データの中から、前処理回路２２５や画像処理回路２５７によって、選択される。
【００７７】
次に、本実施形態における動作について、図５ないし図１１に示すフローチャートを用いて説明する。
【００７８】
図５は、カメラ本体２００側のボディＣＰＵ２５１によるパワーオンリセットの動作である。カメラ本体２００にバッテリ２９２が装填され、または外部電源２９３が接続されると、このフローがスタートする。まずカメラ本体２００のパワースイッチ３４がオンであるかを判定する（＃１）。判定の結果、パワースイッチ３４がオフの場合には、低消費電力の状態であるスリープ状態となる（＃３）。
【００７９】
このスリープ状態ではパワースイッチ３４がオンとなった場合のみに割り込み処理を行い、ステップ＃５以下においてパワーオンのための処理を行う。パワースイッチ３４がオンとなるまでは、パワースイッチ割り込み処理以外の動作を停止し、電源電池の消耗を防止する。
【００８０】
ステップ＃１において、パワースイッチ３４がオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００８１】
次に、前ダイアル２２や後ダイアル２３等によって設定された撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００８２】
撮影モード等の読み込みを行うと、次に、ライブビューを行っているか否かの判定を行う（＃１１）。本実施形態に係わるデジタル一眼レフカメラのライブビュー表示は、ＬＶ表示釦３１が一度操作されると、ライブビュー表示モードに設定され、再度操作されると、ライブビュー表示モードが解除される。
【００８３】
ステップ＃１１における判定の結果、ライブビュー表示モードでなかった場合には、すなわち、光学ファインダ表示モードの場合には、ファインダ測光（Ｆ測光）および露出量演算を行う（＃１３）。ライブビュー表示モードでない場合には、可動ミラー２０１は下降状態にあり、撮影光学系１０１を通過した被写体光束をペンタプリズム２０７等のファインダ光学系に反射している。このため、測光素子２１１に被写体光束が入射し、測光を行うことができる。
【００８４】
ファインダ測光によって測光を行うと、このとき得た被写体輝度に基づいて適正露光を得るための絞り値やシャッタ速度等の露出量の演算を行う。なお、露出量の演算にあたっては、ステップ＃９において設定されていた撮影モードや撮影条件に従って行う。
【００８５】
露出量の演算を行うと、次に、ファインダ表示を行う（＃１５）。ファインダ表示は、ファインダ内表示装置２０６によって行い、設定されている縦横とアスペクト比に応じた撮影範囲や、また演算または手動設定された絞り値やシャッタ速度等の撮影条件が表示される。この縦横やアスペクト比の設定はステップ＃４３における設定変更のサブルーチンで行う。また、演算された露出量に基づく絞り値やシャッタ速度値、またはこれらの手動設定値は、コントロールパネル４０にも表示される。
【００８６】
続いて、ライブビュー表示の消灯を行う（＃１７）。ライブビュー表示モードから光学ファインダ表示モードに切り替わった際には、ここで、ライブビュー表示の消灯を行う。なお、ライブビュー表示モードが解除され光学ファインダ表示を繰り返し行っている場合には、ライブビュー表示は消灯されているので、このステップをスキップする。
【００８７】
ステップ１１における判定の結果、ライブビュー表示モードに設定されている場合には、可動ミラー２０１の退避を行い（＃３１）、シャッタ２１３を開放する（＃３３）。ライブビュー表示モードでは、撮像素子２２１からの画像データに基づいて、被写体像を背面ＬＣＤ３９に表示するので、撮像素子２２１上に被写体像が形成されるように、可動ミラー２０１を退避し、シャッタ２１３を開放する。なお、ライブビュー表示開始後は、このステップ＃３１、＃３３をスキップする。
【００８８】
続いて、イメージャー測光（Ｉ測光）および露出量の演算を行う（＃３５）。ライブビュー表示モードに入ると、可動ミラー２０１は撮影光学系１０１の光路から退避し、測光素子２１１には、被写体光束が入射しない。そこで、撮像素子２２１からの画像データに基づいて、ＡＥ回路２５５によって被写体輝度の測定を行う。
【００８９】
ここで測定された被写体輝度に基づいて、適正露光を得るための絞り値やシャッタ速度等の露出量の演算を行う。なお、露出量の演算にあたっては、ステップ＃１３と同様、ステップ＃９において設定されていた撮影モードや撮影条件に従って行う。また、ここで演算された露出量に基づく絞り値やシャッタ速度値、またはこれらの手動設定値は、背面ＬＣＤ３９やコントロールパネル４０に表示される。
【００９０】
続いて、ライブビュー表示を行う（＃３７）。ライブビュー表示は、撮像素子２２１からの画像データに基づき、前処理回路２２５や画像処理回路２５７によって、画素数を間引く等の画像処理を行い、被写体像を背面ＬＣＤ３９に動画表示する。撮像素子２２１から画像データの読み出しを行うたびに、被写体像の更新を行う。
【００９１】
ライブビュー表示を行うと、次に、ファインダ表示の消灯を行う（＃３９）。光学ファインダ表示モードからライブビュー表示モードに切り替わった際には、ここで、ファインダ表示の消灯を行う。なお、ライブビュー表示モードに切り替わり、ライブビュー表示を繰り返し行っている場合には、ファインダ表示は消灯されているので、このステップはスキップする。
【００９２】
ステップ＃１７におけるライブビュー表示を消灯すると、またはステップ＃３９におけるファインダ表示を消灯すると、操作部材による操作がなされたか否かの判定を行う（＃１９）。このステップでは、スイッチ検知回路２６８によって、１Ｒスイッチ、設定スイッチ（メニュースイッチ）、再生スイッチ、パワースイッチのいずれかのスイッチが操作されたか否かを判定する。
【００９３】
ステップ＃１９における判定の結果、操作がなかった場合には、ステップ＃１１に戻り、前述の動作を実行する。一方、判定の結果、操作がなされていた場合には、次に、レリーズ釦２１が半押しされたか否か、すなわち１Ｒスイッチがオンか否かの判定を行う（＃２１）。
【００９４】
ステップ＃２１における判定の結果、１Ｒスイッチがオンであった場合には、撮影準備と撮影を行う撮影動作のサブルーチンを実行する（＃４１）。このサブルーチンの詳細は図６を用いて後述する。
【００９５】
ステップ＃２１における判定の結果、１Ｒスイッチがオンでなかった場合、または、ステップ＃４１における撮影動作を実行した場合には、次に、設定スイッチがオンか否かの判定を行う。このステップでは、メニュー釦（設定釦）３５等が操作され、メニューモード（設定モード）に設定されたか否かの判定を行う。
【００９６】
ステップ＃２３における判定の結果、メニューモード（設定モード）であった場合には、設定変更を行う（＃４３）。この設定変更のサブルーチンでは、アスペクト変更モード等の種々のモード等を設定でき、設定されたメニューに従って種々の処理を行う。本実施形態においては、アスペクト変更モードを選択し、レリーズ釦２１の半押し、またはＯＫ釦３３等の操作部材を操作中に、水平方向または鉛直方向の切り換え視線領域において撮影者の視線を検出した場合に、縦横位置やアスペクト比の選択を行うことができる。このサブルーチンの詳細については、図７を用いて後述する。
【００９７】
ステップ＃２３における判定の結果、設定スイッチがオンでなかった場合、または、ステップ＃４３における設定変更のサブルーチンを実行すると、次に、再生スイッチがオンか否かの判定を行う（＃２５）。この判定の結果、再生スイッチがオンであった場合には、再生動作を実行する（＃４５）。再生動作では、記録媒体Ａ２８５または記録媒体Ｂ２８７に記録されている画像データを読み出し、背面ＬＣＤ３９または外部表示装置３３０等に再生表示する。この再生動作のサブルーチンの詳細については、図９を用いて後述する。
【００９８】
ステップ＃２５における判定の結果、再生スイッチがオンでなかった場合、または、ステップ＃４５における再生動作のサブルーチンを実行すると、次に、パワースイッチ３４がオンか否かの判定を行う（＃２７）。この判定の結果、パワースイッチ３４がオンであった場合には、ステップ＃１１に戻り、前述の動作を実行する。
【００９９】
一方、ステップ＃２７における判定の結果、パワースイッチがオンではなかった場合には、電源供給を停止し（＃２９）、ステップ＃３に戻り、前述のスリープ状態となる。
【０１００】
次に、ステップ＃４１における撮影動作のサブルーチンについて、図６に示すフローチャートを用いて説明する。
【０１０１】
撮影動作のサブルーチンに入ると、まず、ステップ＃１１と同様にライブビュー表示モードか否かの判定を行う（＃５１）。この判定の結果、ライブビュー表示モードでなかった場合には、位相差ＡＦのサブルーチンを実行する（＃５３）。この位相差ＡＦのサブルーチンでは、撮影光学系１０１の周辺を通過した２光束を用いて公知の位相差法に基づいて、撮影光学系１０１の焦点ズレ方向および焦点ズレ量を検出する。そして、この検出された焦点ズレ方向および焦点ズレ量を用いて、撮影光学系１０１を合焦位置に駆動する。
【０１０２】
位相差ＡＦが終わると、次に、ステップ＃１３と同様にファインダ測光および露出量演算を行う（＃５５）。ここで演算された露出量に基づく絞り値やシャッタ速度値、またはこれらの手動設定値は、ファインダ内表示装置２０６やコントロールパネル４０に表示される。
【０１０３】
ステップ＃５１における判定の結果、ライブビュー表示モードであった場合には、イメージャーＡＦのサブルーチンを実行する（＃５７）。ライブビュー表示モードでは、可動ミラー２０１が撮影光学系１０１の光路から退避位置にあり、位相差ＡＦによる測距を行うことができない。そこで、撮像素子２２１からの画像データに基づいて、イメージャーＡＦを行う。このイメージャーＡＦのサブルーチンでは、コントラストＡＦ回路２５３から出力される画像データの高周波成分がピーク値となるように、撮影光学系１０１の駆動制御を行う。
【０１０４】
イメージャーＡＦを行うと、次に、ステップ＃３５と同様にイメージャー測光および露出量演算を行う（＃５９）。ここで演算された露出量に基づく絞り値やシャッタ速度値、またはこれらの手動設定値は、背面ＬＣＤ３９やコントロールパネル４０に表示される。
【０１０５】
ステップ＃５５におけるファインダ測光および露出量演算、またはステップ＃５９におけるイメージャー測光を行うと、次に、レリーズ釦２１が全押しされたか否か、すなわち２Ｒスイッチがオンか否かを判定する（＃６１）。この判定の結果、２Ｒスイッチがオンでなかった場合には、１Ｒスイッチがオンか否かの判定を行う（＃６３）。
【０１０６】
このステップ＃６３における判定の結果、１Ｒスイッチがオンでなければ、レリーズ釦２１から撮影者の指が離れたことから、撮影動作のサブルーチンを終了し、元のフローに戻る。一方、ステップ＃６３における判定の結果、１Ｒスイッチがオンであった場合には、少なくとも撮影者の指がレリーズ釦２１にかかっていることから、ステップ＃６１に戻り、このステップとステップ＃６３を交互に判定する待機状態となる。
【０１０７】
ステップ＃６１における判定の結果、２Ｒスイッチがオンとなると、レリーズ釦２１が全押しされ、露光動作に移る。まず、ステップ＃１１、＃５１と同様に、ライブビュー表示モードか否かの判定を行う（＃６５）。この判定の結果、ライブビュー表示モードでなかった場合には、可動ミラー２０１の退避を行う（＃６７）。ライブビュー表示モードでない場合、すなわち光学ファインダ表示モードの場合には、可動ミラー２０１が下降位置にあるので、撮像素子２２１に被写体光束に導くために、可動ミラー２０１を退避させる。
【０１０８】
一方、ステップ＃６５における判定の結果、ライブビュー表示モードであった場合には、シャッタ２１３の閉じ動作を行う（＃９１）。ライブビュー表示モードの場合には、可動ミラー２０１は退避位置にあり、シャッタ２１３は開放のままである。露光動作を実行するにあたって、シャッタ２１３をチャージする必要があることから、一旦、シャッタ２１３の閉じ動作を行う。
【０１０９】
ステップ＃６７の可動ミラー退避、またはステップ＃９１のシャッタ閉を行うと、次に、絞り１０３の絞り込み動作を行う（＃６９）。このステップでは、露出量演算に基づいて求められた絞り値または手動設定された絞り値となるように、レンズＣＰＵ１１１に対して、絞り込み指示を行う。
【０１１０】
続いて、露出動作を行う（＃７１）。このステップでは、シャッタ２１３の先幕を走行させると共に、撮像素子２２１において電荷蓄積を開始する。そして、所定時間が経過すると、シャッタ２１３の後幕を走行させると共に、撮像素子２２１における電荷蓄積を終了する。
【０１１１】
露出動作が終了すると、次に、絞り１０３の開放を行う（＃７３）。すなわち、ボディＣＰＵ２５１は、レンズＣＰＵ１１１に対して、絞り１０３が開放絞り値となるように指示を送信する。
【０１１２】
絞りを開放にすると、次に、ステップ＃１１、＃５１、＃６５と同様に、ライブビュー表示モードか否かの判定を行う（＃７５）。この判定の結果、ライブビュー表示モードでなかった場合には、可動ミラー２０１の復帰を行う（＃７７）。すなわち、ステップ＃６７において可動ミラー２０１は撮影光学系１０１の光路から退避していたので、光路中に挿入するように下降させる。
【０１１３】
一方、ステップ＃７５における判定の結果、ライブビュー表示モードであった場合には、シャッタ２１３の開放を行う（＃９３）。すなわち、ライブビュー表示を再開するために、撮影光学系１０１からの被写体光束を撮像素子２２１に導くべく、シャッタ２１３の先幕を走行させ、シャッタを開放する。
【０１１４】
ステップ＃７７における可動ミラー復帰、またはステップ＃９３におけるシャッタ開を行うと、次に、画像の読み出しを行う（＃７９）。このステップでは、撮像素子駆動回路２２３によって、撮像素子２２１から画像信号の読み出しを行う。
【０１１５】
続いて、画像処理を行う（＃８１）。すなわち、撮像素子２２１から読み出された画像信号を前処理回路２２５、画像処理回路２５７や圧縮伸張回路２５９等によって種々の画像処理を行う。なお、設定変更のサブルーチン（図７参照）によって、設定された縦横位置やアスペクト比に基づく画像データ出力領域の画像データが、前処理回路２２５、画像処理回路２５７等によって選択され、画像処理される。
【０１１６】
画像処理を行うと、次に、画像記録を行う（＃８３）。画像記録は、画像処理された画像データ出力領域の画像データを、記録媒体制御回路２８３によって、記録媒体Ａ２８５または記録媒体Ｂ２８７に記録する。この画像記録が終わると、元のフローに戻る。
【０１１７】
次に、ステップ＃４３における設定変更のサブルーチンについて、図７に示すフローチャートを用いて説明する。メニューモードにおいて、種々の設定変更を行うことができるが、図７に示すフローチャートは、その一部のみを示している。
【０１１８】
設定変更のサブルーチンに入ると、まず、タイマをスタートさせる（＃１０１）。このタイマは、視線検出にあたって、一か所を所定時間の間、見ていたか否かを判定するための計時動作用である。続いて、視線座標の検出を行う（＃１０２）。ここでは、視線検出回路２１０の出力に基づいて、撮影者が見ている視線位置の検出を行う。続いて、ステップ＃１０２において検出された視線座標情報を記憶する（＃１０３）。次に、検出回数をカウントするカウンタのカウント値Ｃを０にリセットする（＃１０４）。
【０１１９】
カウント値Ｃを０にリセットすると、次に、タイマがタイムアップしたか否かの判定を行う（＃１０５）。ここでは、ステップ＃１０１または後述するステップ＃１０７においてスタートしたタイマが予め決めた時間に達したか否かの判定を行う。この判定の結果、タイムアップしていなかった場合には、アスペクト変更操作がなされているか否かの判定を行う（＃１０６）。前述したように、視線検出による縦横位置やアスペクト比の変更動作は、レリーズ釦２１の半押し中やＯＫ釦３３の操作中に行うようにしており、ステップ＃１０６では、これらの操作が継続中であるか否かの判定を行う。この判定の結果、変更操作中であれば、ステップ＃１０５に戻り、一方、変更操作が中止されれば、設定変更のサブルーチンを終了し、元のフローに戻る。
【０１２０】
ステップ＃１０５における判定の結果、タイムアップした場合には、タイマを再スタートさせ（＃１０７）、ステップ＃１０２と同様、視線座標の検出を行う（＃１０８）。すなわち、このフローでは、所定時間間隔で視線座標を繰り返し検出している。視線座標の検出を行うと、続いて、視線座標がアスペクト切換座標か否かの判定を行う（＃１０９）。ここでは、ステップ＃１０８において検出した視線座標が前回と同じ切換座標（視線領域）に入っているか否かの判定を行う。すなわち、記憶されている前回の視線座標情報（ステップ＃１０３または＃１１１参照）とステップ＃１０８において検出された視線座標が同じ領域にあり、かつ、図１２（Ｃ）に示すような、水平方向切換視線領域５０１ａ、５０１ｂ、または鉛直方向切換視線領域５０３ａ、５０３ｂのいずれかに入っているか否かを判定する。
【０１２１】
ステップ＃１０９における判定の結果、視線座標が切換座標でなかった場合には、視線座標情報の更新を行い（＃１１１）、カウンタのカウント値Ｃを０にリセットする（＃１１２）。これらのステップを実行する場合は、撮影者が視線領域を見ていないか、視線領域の外側から視線領域内に入ったばかりか、または視線領域の外側を見ている場合である。カウント値Ｃをリセットすると、ステップ＃１０５に戻る。
【０１２２】
ステップ＃１０９における判定の結果、視線座標がアスペクト切換座標（視線領域）であった場合には、次に、カウンタに１を加算し（＃１１５）、このカウント値Ｃが所定値Ｎを超えたか否かの判定を行う（＃１１５）。この判定の結果、カウント値Ｃが所定値Ｎを超えていなかった場合には、ステップ＃１０５に戻る。この場合には、所定時間の間、撮影者が視線領域を見ていないことから、縦横位置やアスペクト比の変更を行わず、視線検出を続行する。
【０１２３】
ステップ＃１１５における判定の結果、カウント値Ｃが所定値Ｎを超えた場合には、アスペクト切り換えを行う（＃１１７）。このステップでは、検出された視線領域に応じて、アスペクト比の切り換えを行う。すなわち、撮影者が水平方向切換視線領域５０１ａ、５０１ｂを見ていた場合には、横長の画像となるようにアスペクト比を切り換える。また、鉛直方向切換視線領域５０３ａ、５０３ｂを見ていた場合には、縦長の画像となるようにアスペクト比を切り換える。アスペクト切り換えのサブルーチンを実行すると、元のフローに戻る。
【０１２４】
次に、ステップ＃１１７のアスペクト切り換えのサブルーチンを、図１１を用いて説明する。アスペクト切り換えのサブルーチンに入ると、まず、ステップ＃１０３またはステップ＃１１１で記憶された視線座標情報がＨ方向であるか否かの判定を行う（＃７０１）。ここでは、視線座標情報が、Ｈ方向（図１２（Ｂ）参照）、すなわち水平方向切換領域５０１ａ、５０１ｂに入っているか否かを判定する。
【０１２５】
ステップ＃７０１における判定の結果、視線座標情報がＨ方向に入っていた場合には、テーブル１を参照し、視線座標から変更アスペクトを決定する（＃７０３）。テーブル１は、図１３（Ａ）に示すように、現在設定されているアスペクトに対して、１段階、横長のアスペクト比となるように設計されている。すなわち、現在、９：１６縦長のアスペクトが設定されている状態で視線座標がＨ方向の場合には、２：３縦長のアスペクトに決定される。この決定は、図１４（Ａ）に示すように、Ｈ方向の視線領域が検出されるたびに、図１４（Ａ）で右側のアスペクトに変更される。１６：９横長のアスペクトが設定された後、さらにＨ方向の視線領域が検出されても、それ以上、横長のアスペクトには変更されない。
【０１２６】
ステップ＃７０１における判定の結果、視線座標情報がＨ方向に入っていない場合、すなわち、視線座標情報がＶ方向の場合には、テーブル２を参照し、視線座標から変更アスペクトを決定する（＃７０３）。テーブル２は、図１３（Ｂ）に示すように、現在設定されているアスペクトに対して、１段階、縦長のアスペクト比となるように設計されている。すなわち、現在、１６：９横長のアスペクトが設定されている場合に、視線座標がＶ方向の場合には、３：２横長のアスペクトに決定される。この決定は、図１４（Ｂ）に示すように、Ｖ方向の視線領域が検出されるたびに、図１４（Ｂ）で左側のアスペクトに変更される。９：１６縦長のアスペクトが決定された後、さらにＶ方向の視線領域が検出されても、それ以上、縦長のアスペクトには変更されない。
【０１２７】
ステップ＃７０３またはステップ＃７０５において、アスペクトが決定されると、次に、決定されたアスペクトに従って、新アスペクト設定を行う（＃７０７）。この新たに設定されたアスペクトに従って、視野のアスペクトが決定され、また、この状態で、レリーズ釦２１が全押しされ、被写体像を記録する場合には、設定されたアスペクトで被写体像が記録される。新アスペクト設定を行うと、元のフローに戻る。
【０１２８】
このように、本実施形態における設定変更およびアスペクト切り換えのサブルーチンにおいては、ファインダ視野画面の左右と上下でそれぞれ撮影者の視線を検出し、撮影者の視線が向いて方向に応じて、アスペクトを変更するようにしている。このため、多数のアスペクトに変更可能な撮影装置においても、手動で操作部材を操作しなくても、ファインダ内の視線領域を見るだけで、順次アスペクトを切り換えることができる。また、視線領域で視線を検出するたびに、アスペクト比を変更するようにしているので、縦横やアスペクト比の切り換えを行うにあたって煩雑な指標を必要としない。指標が設けてあると、撮影者が被写界と無関係な指標を注視するために、構図がぶれしまうおそれがある。本実施形態においては、構図意思と指標が関連付けられていないので、自然な変更が可能となる。
【０１２９】
次に、ステップ＃３７におけるライブビュー表示のサブルーチンについて、図８を用いて説明する。このサブルーチンは、前述したように、撮像素子２２１からの画像データに基づいて、背面ＬＣＤ３９に被写体像を表示する。このライブビュー表示における縦横位置やアスペクト比は、光学ファインダを観察中に設定された縦横位置やアスペクト比に応じて表示する他、縦横釦３７や十字釦３２等による手動操作部材による設定に従って行う。
【０１３０】
図８（ａ）に示すライブビュー表示のフローに入ると、まず、選択アスペクト表示座標の設定を行う（＃１３１）。このステップでは、設定されている縦横位置とアスペクト比情報に基づいて、被写体像として表示すべき範囲を示す座標を設定する。
【０１３１】
続いて、画像領域外を黒塗りする（＃１３３）。このステップでは、ステップ＃１３１において設定した表示座標を基に、図８（ｂ）〜（ｅ）に示すように、画像領域外を黒塗り、すなわち、画像の表示領域外とする。なお、図８（ｂ）は４：３の横長画像であり、（ｃ）は１６：９の横長画像であり、（ｄ）は２：３の縦長画像であり、（ｅ）は９：１６の縦長画像を示す領域である。
【０１３２】
画像領域外を黒塗りにすると、次に、情報表示座標の設定を行う（＃１３５）。このステップでは、画像が横長位置の場合には、図８（ｂ）（ｃ）に示すように、画像領域の下側に横一列に撮影情報を表示するための座標の設定を行う。また、縦長位置の場合には、図８（ｄ）（ｅ）に示すように、画像領域の右側に縦一列に撮影情報を表示するための座標の設定を行う。
【０１３３】
情報表示領域座標を設定すると、次に、情報表示を開始する（＃１３６）。このステップでは、撮影情報を画像領域の下側または右側に表示する。続いて、ライブビュー画像表示を開始する（＃１３７）。このステップでは、背面ＬＣＤ３９の画像領域に、撮像素子２２１からの画像データに基づいて、観察用に被写体像を動画表示する。続いて、液晶バックライトの点灯を行う（＃１３９）。これによって、背面ＬＣＤ３９におけるライブビュー表示と撮影情報を視認することができる。撮影者は、被写体像を観察しながら構図を決定し、撮影を行うことができる。
【０１３４】
このように、ライブビュー表示のサブルーチンにおいては、背面ＬＣＤ３９にライブビュー表示を行うにあたって、設定された縦横位置やアスペクト比を考慮して、被写体像を表示するようにしている。また、画像の縦横位置に合わせて撮影情報の表示位置を変更している。このため、縦位置や横位置、またアスペクト比を変更しても、ライブビュー表示によって、その撮影範囲や、必要な撮影情報を確認することができ、大変便利である。
【０１３５】
なお、本実施形態においては、画像領域外は黒塗りにして、画像を全く表示しないようにしていたが、これに限らず、例えば、罫線で表示してもよく、また、画像領域外を半透明で表示する等の変形を行っても勿論かまわない。罫線で表示する場合や半透明で表示する場合には、ライブビュー表示用の画像データとしては、画像データ出力領域に限定せずに、周囲の画像データも含めて背面ＬＣＤ３９に出力する。
【０１３６】
次に、ステップ＃４５における再生動作のサブルーチンについて、図９に示すフローチャートを用いて説明する。このサブルーチンは、前述したように、記録媒体Ａ２８５や記録媒体Ｂ２８７に記録されている画像データを読み出し、背面ＬＣＤ３９等に再生表示を行う。再生釦３６を操作すると、再生動作のサブルーチンが動作を開始する。
【０１３７】
再生動作のサブルーチンに入ると、まず、再生画像の指定を行う（＃１４１）。このステップでは、背面ＬＣＤ３９に記録媒体Ａ２８５等に記録されている画像がサムネイル表示されるので、この中からユーザーが再生表示を望む画像をカーソルによって指定する。
【０１３８】
再生画像の指定が行われると、次に、外部出力接続がなされているか否かを判定する（＃１４３）。ここでは、テレビ等の外部表示装置３３０が接続されているか否かを判定する。この判定の結果、外部表示装置３３０が接続されていた場合には、外部再生を行う（＃１４５）。このステップでは、ビデオ信号出力回路２６１からの画像信号を外部表示装置３３０に送信し、外部表示装置３３０に記録媒体Ａ２８５等から読み出された画像を再生表示する。
【０１３９】
一方、ステップ＃１４３における判定の結果、外部表示装置３３０が接続されていなかった場合には、液晶モニタ再生を行う（＃１４７）。このステップでは、記録媒体Ａ２８５等から読み出された画像を背面ＬＣＤ３９で再生表示する。この液晶モニタ再生のサブルーチンは、図１０を用いて後述する。
【０１４０】
ステップ＃１４５における外部再生、またはステップ＃１４７における液晶モニタ再生を行うと、再生終了か否かの判定を行う（＃１４９）。本実施形態におけるカメラ本体２００は、再生釦３６を操作することにより、再生表示モードとなり、再度、再生釦３６を操作することにより、再生表示モードが終了する。したがって、このステップでは、再度、再生釦３６が操作されたか否かを判定する。
【０１４１】
ステップ＃１４９における判定の結果、再生終了でなかった場合には、ステップ＃１４３に戻り、前述の動作を実行する。一方、判定の結果、再生終了であった場合には、再生動作を終了し、元のフローに戻る。
【０１４２】
次に、ステップ＃１４７における液晶モニタ再生のサブルーチンについて、図１０に示すフローチャートを用いて説明する。このサブルーチンは、記録媒体Ａ２５８等に記録された画像データを読み出し、背面ＬＣＤ３９に再生表示する。
【０１４３】
液晶モニタ再生のサブルーチンに入ると、まず、指定画像の読み込みを行う（＃１５１）。すなわち、ステップ＃１４１において指定された画像について、記録媒体Ａ２８５から画像データの読み出しを行う。続いて、余白部分の黒塗りを行う（＃１５３）。前述したように、本実施形態における画像は、縦横位置やアスペクト比が異なっていることから、それぞれ読み出した画像データの縦横位置やアスペクト比に従って、図８（ｂ）〜（ｅ）と同様に、余白部分を黒塗りとする。
【０１４４】
余白部分の黒塗りを行うと、次に、モニタ再生表示を開始する（＃１５５）。すなわち、ステップ＃１５１で読みだした画像データに基づいて、背面ＬＣＤ３９に画像を再生表示する。
【０１４５】
モニタ再生表示を開始すると、次に、画像選択操作がなされたか否かの判定を行う（＃１５７）。本実施形態に係わるカメラは、左右の十字釦３２を操作することにより、前または次の画像に変更することができ、また、サムネイル画像を再度表示し、この中から画像選択することもできる。したがって、このステップでは、これらの操作がなされたか否かを判定する。
【０１４６】
ステップ＃１５７における判定の結果、画像選択操作がなされた場合には、指定画像の変更を行う（＃１６１）。すなわち、画像選択操作によって選択された画像に変更する。このあと、ステップ＃１５１に戻り、変更された画像の読み出しを行い、再生表示を行う。
【０１４７】
一方、ステップ＃１５７における判定の結果、画像選択がなされていない場合には、再生終了か否かの判定を行う（＃１５９）。前述したように、再生釦３６が再度操作されると、再生終了であるので、このステップでは、再生釦３６が再度操作されてか否かを判定する。
【０１４８】
ステップ＃１５９における判定の結果、再生終了でなければ、ステップ＃１５７に戻り、前述の動作を実行する。一方、再生終了であった場合には、液晶モニタ再生のサブルーチンを終了し、元のフローに戻る。
【０１４９】
このように、液晶モニタ再生のサブルーチンにおいては、記録媒体Ａ２８５等から画像データを読み出し、再生表示を行う場合には、外部表示装置３３０やカメラ本体２００に配置された背面ＬＣＤに再生表示を選択的に行うことができる。また、背面ＬＣＤ３９に再生表示するにあたって、縦横位置やアスペクト比に応じ、余白部分を黒塗りして表示を行うようにしている。したがって、縦横位置やアスペクト比の設定に応じて記録された撮影画像の表示を行うことができる。
【０１５０】
以上、説明したように、本発明の第１実施形態においては、ファインダを観察する人の視線を検出した場合に、画像データ出力領域の縦横位置やアスペクト比を制御するようにしている。また、縦横位置やアスペクト比の変更にあたっては、予め定められた順序で１段階ずつ行うようにしている。このため、多段階で縦横位置やアスペクト比の変更を行う場合であっても、指標を置く必要がなく、また縦横やアスペクト比の切り換えを簡単に行うことができる。
【０１５１】
次に、本発明の第２実施形態について、図１５ないし図１８を用いて説明する。第１実施形態においては、水平方向切換視線領域５０１ａ、５０１ｂと、鉛直方向切換視線領域５０３ａ、５０３ｂの、水平方向と鉛直方向にそれぞれ視線領域を設け、水平方向で視線を検出した場合には、水平方向に画像を広げ鉛直方向に画像を縮め、鉛直方向で視線を検出した場合には、水平方向に画像を縮め鉛直方向画像を広げていた。第２実施形態においては、画像の内側で視線を検出した場合には、画像を縮め、画像の外側で視線を検出した場合には、画像を広げるようにしている。
【０１５２】
第２実施形態の構成は、第１実施形態と略同様であり、視線検出回路２１０における視線領域が、図１６に示すように、ファインダ視野の水平方向の画面外と画面内でそれぞれ検出可能となっている。すなわち、ファインダ視野の外側であって左側に画面外視線領域５０５ａ、外側であって右側に画面外視線領域５０５ｂが設けられ、ファインダ視野の内側であって左側に画面内視線領域５０７ａ、ファインダ視野の内側であって右側に画面内視線領域５０７ｂが設けられている。また、第１実施形態において図１１に示したアスペクト切り換えのサブルーチンを、図１５に示すサブルーチンに変更している。これ以外の部分については、第１実施形態と同様であるので、相違点を中心に第２実施形態を説明する。
【０１５３】
図１５に示すアスペクト切り換えのサブルーチンに入ると、視線座標情報は画面外か否かの判定を行う（＃７１１）。ここでは、図７に示した設定変更のサブルーチンにおいて検出された視線座標情報が、画面外視線領域５０５ａ、５０５ｂに入っているか否かの判定を行う。
【０１５４】
ステップ＃７１１における判定の結果、視線座標情報が画面外（画面外視線領域５０５ａ、５０５ｂ）に入っていた場合には、テーブル３を参照し、視線座標から変更アスペクトを決定する（＃７１３）。テーブル３は、図１７（Ａ）に示すように、現在設定されているアスペクトに対して、１段階、横長のアスペクト比となるように設計されている。すなわち、現在、９：１６縦長のアスペクトが設定されている場合に、視線座標が画面外の場合には、２：３縦長のアスペクトに決定される。この決定は、図１７（Ａ）に示すように、画面外の視線領域が検出されるたびに、図１７（Ａ）において右側のアスペクトに変更される。１６：９横長のアスペクトが設定された後、さらに画面外の視線領域が検出されても、それ以上、横長のアスペクトには変更されない。
【０１５５】
ステップ＃７１１における判定の結果、視線座標情報が画面外に入っていない場合、すなわち、視線座標情報が画面内（画面内視線領域５０７ａ、５０７ｂ）の場合には、テーブル４を参照し、視線座標から変更アスペクトを決定する（＃７１３）。テーブル４は、図１７（Ｂ）に示すように、現在設定されているアスペクトに対して、１段階、縦長のアスペクト比となるように設計されている。すなわち、現在、１６：９横長のアスペクトが設定されている場合に、視線座標が画面内の場合には、３：２横長のアスペクトに決定される。この決定は、図１７（Ｂ）に示すように、画面内の視線領域が検出されるたびに、図１７（Ｂ）において左側のアスペクトに変更される。９：１６縦長のアスペクトが決定された後、さらに画面内の視線領域が検出されても、それ以上、縦長のアスペクトには変更されない。
【０１５６】
ステップ＃７１３またはステップ＃７１５において、アスペクトが決定されると、次に、決定されたアスペクトに従って、新アスペクト設定を行う（＃７１７）。この新たに設定されたアスペクトに従って、画面視野のアスペクトが決定され、また、この状態で、レリーズ釦２１が全押しされ、被写体像を記録する場合には、設定されたアスペクトで被写体像が記録される。新アスペクト設定を行うと、元のフローに戻る。
【０１５７】
このように、本発明の第２実施形態におけるアスペクト切り換えのサブルーチンにおいては、撮影者の視線が視野領域の内側にあるか外側にあるかを検出し、撮影者の視線が向いている方向に応じて、アスペクトを変更するようにしている。このため、多数のアスペクトに変更可能な撮影装置においても、手動で操作部材を操作しなくても、ファイダ内の視線領域を見るだけで、順次アスペクトを切り換えることができ、また多数の縦横位置やアスペクト比を切り換え可能な場合であっても多数の指標を配置する必要がない。また、内側を見るか外側を見るかで、アスペクトの変更方向を変えられるので、所望とするアスペクトに簡単に変更することができる。なお、本実施形態においては、視野領域の左右で外側にあるか内側にあるかを判定したが、これに限らず、画面の上下で行ってもよく、また、上下左右の両方で行うようにしても勿論かまわない。
【０１５８】
次に、本発明の第３実施形態について、図１９ないし図２２を用いて説明する。第１および第２実施形態においては、ファインダ視野の周辺部にある視線領域において撮影者の視線を検出すると、１段階ずつ視野領域を広げまたは縮めていた。第３実施形態においては、視野領域の周辺に複数の視線領域を設け、いずれの視線領域で撮影者の視線を検出したかに応じた視野領域（アスペクト比）に設定できるようにしている。
【０１５９】
第３実施形態の構成は、第１実施形態と略同様であり、視線検出回路２１０における視線領域として、図２０に示すように、ファインダ視野の水平方向の画面外に複数の領域を設け、ファインダ視野の鉛直方向の画面外に複数の領域を設けている。すなわち、ファインダ視野の水平方向の画面外に領域Ｈ０〜Ｈ５、鉛直方向の画面外に領域Ｖ０〜Ｖ５を設けている。また、第１実施形態において図１１に示したアスペクト切り換えのサブルーチンを、図１９に示すサブルーチンに変更している。これ以外の部分については、第１実施形態と同様であるので、相違点を中心に第３実施形態を説明する。
【０１６０】
図１９に示すアスペクト切り換えのサブルーチンに入ると、まず、設定変更のサブルーチン（図７参照）におけるステップ＃１０３またはステップ＃１１１で記憶された視線座標情報がＨ方向であるか否かの判定を行う（＃７２１）。ここでは、視線座標情報が、Ｈ方向（図１２（Ｂ）参照）、すなわち領域Ｈ０〜Ｈ５に入っているか否かを判定する。
【０１６１】
ステップ＃７２１における判定の結果、視線座標情報がＨ方向に入っていた場合には、テーブル５を参照し、視線座標から変更アスペクトを決定する（＃７２３）。テーブル５は、図２１（Ａ）に示すように、現在設定されているアスペクトに対して、任意の段数だけ、さらに横長のアスペクト比となるように設計されている。例えば、現在、９：１６縦長のアスペクトが設定されている場合に、視線座標が領域Ｈ０であれば２：３横長に、視線座標が領域Ｈ５であれば１６：９横長にアスペクトを決定することができる。図２２では作図上、各アスペクト比の視野を順次、並べて記載してあるが、撮影者の選択した領域Ｈ０〜Ｈ５に応じて、途中のアスペクト比を経ることなく、一気に選択したアスペクト比に変更される。なお、１６：９横長のアスペクトが設定されると、画面外に視線領域が設定されないので、それ以上、横長のアスペクトには変更されない。
【０１６２】
ステップ＃７２１における判定の結果、視線座標情報がＨ方向に入っていなかった場合、すなわちＶ方向に入っていた場合には、テーブル６を参照し、視線座標から変更アスペクトを決定する（＃７２５）。テーブル６は、図２１（Ｂ）に示すように、現在設定されているアスペクトに対して、任意の段数だけ、さらに縦長のアスペクト比となるように設計されている。例えば、現在、１６：９横長のアスペクトが設定されている場合に、視線座標が領域Ｖ０であれば３：２縦長に、視線座標が領域Ｖ５であれば９：１６縦長にアスペクトを決定することができる。図２２では作図上、各アスペクト比の視野を順次、並べて記載してあるが、撮影者の選択した領域Ｖ０〜Ｖ５に応じて、途中のアスペクト比を経ることなく、一気に選択したアスペクト比に変更される。なお、１９：６縦長のアスペクトが設定されると、画面外に視線領域が設定されないので、それ以上、縦長のアスペクトには変更されない。
【０１６３】
ステップ＃７２３またはステップ＃７２５において、アスペクトが決定されると、次に、決定されたアスペクトに従って、新アスペクト設定を行う（＃７２７）。この新たに設定されたアスペクトに従って、画面視野のアスペクトが決定され、また、この状態から撮影モードに入り、レリーズ釦２１が全押しされ、被写体像を記録する場合には、設定されたアスペクトで被写体像が記録される。新アスペクト設定を行うと、元のフローに戻る。
【０１６４】
このように、本実施形態におけるアスペクト切り換えのサブルーチンにおいては、視線領域を視野周辺に複数配置し、この複数設けた視野画面のいずれで視線を検出したかに応じて、途中のアスペクトを経ることなく、一気に撮影者の所望するアスペクト比に変更するようにしている。このため、多数のアスペクトに変更可能な撮影装置においても、手動で操作部材を操作しなくても、ファイダ内の視線領域を見るだけで、アスペクトを切り換えることができる。しかも、一段ずつ変更する必要がなく、簡単に所望とするアスペクト比に変更できるので、便利である。また、検出された視線が画角中心から離れるほど、その方向に広がったアスペクト比を設定するようにしているので、撮影者の感覚に沿ったアスペクト比の変更を行うことができる。なお、本実施形態においては、視野画面の上下左右に視線領域を設けていたが、これに限らず、画面の上下または左右のいずれか一方だけに視線領域を設けるだけでも勿論かまわない。
【０１６５】
次に、本発明の第４実施形態について、図２３ないし図２６を用いて説明する。第１ないし第３実施形態においては、撮影者の視線のある位置を検出し、この位置に応じて縦横位置やアスペクト比を設定していた。第４実施形態においては、撮影者の視線の移動方向と移動速度を検出し、この検出に基づいて、縦横位置やアスペクト比の変更を行うようにしている。
【０１６６】
第４実施形態の構成は、第１実施形態と略同様であり、視線検出回路２１０における視線領域は、図１２（Ｃ）と同様に、水平方向切換視線領域５０１ａ、５０１ｂ、鉛直方向切換視線領域５０３ａ、５０３ｂが設けられている。本実施形態においては、この領域における視線の移動方向および移動速度の検出が可能である。また、第１実施形態において図７に示した設定変更のサブルーチンを図２３に示すサブルーチンに変更し、図１１に示したアスペクト切り換えのサブルーチンを、図１９に示すサブルーチンに変更している。これ以外の部分については、第１実施形態と同様であるので、相違点を中心に第４実施形態を説明する。
【０１６７】
設定変更のサブルーチンに入ると、まず、ステップ＃１０２と同様に、視線座標の検出を行う（＃７３１）。本実施形態における視線座標の検出は、視線検出回路２１０によって行うが、移動方向と移動速度の検出に必要な精度で検出する。続いて、ステップ＃７３１において検出された視線座標情報を記憶する（＃７３３）。次に、タイマをスタートさせる（＃７３５）。このタイマは視線の移動速度を算出するための計時用である。
【０１６８】
タイマをスタートさせると、続いて、視線座標を検出し（＃７３７）、この検出された視線座標と、前回、検出された視線座標が略等しいか否かの判定を行う（＃７３９）。この判定の結果、略等しくなかった場合には、続いて、タイマの読み込みを行い（＃７４１）、視線移動速度の算出を行う（＃７４３）。ここでは、今回と前回の視線座標から移動距離を求め、この移動距離をタイマから求めた今回と前回の間の時間で除算することにより、移動速度を算出する。また、併せて、前回と今回の視線座標から移動方向を求める。
【０１６９】
移動速度を算出すると、次に、視線移動はアスペクト切換方向か否かの判定を行う（＃７４５）。アスペクト切換方向は、視野画面において、右側または左側への水平方向（図２５（Ａ）の左端図参照）、または上側または下側への鉛直方向（図２５（Ｂ）の左端図参照）であり、このステップでは、ステップ＃７４３において求めた視線の移動方向がアスペクト切換方向と略同じ方向であるか否か判定する。
【０１７０】
ステップ＃７４５における判定の結果、視線移動方向がアスペクト切換方向であった場合には、次に、視線移動速度はアスペクト切換速度か否かの判定を行う（＃７４７）。後述するアスペクト切り換えのサブルーチンにおいて、移動速度がｖ０以上ｖ７以内の範囲内で場合分けをしており、この範囲内にあるか否かの判定を行う。
【０１７１】
ステップ＃７３７における判定の結果、視線座標が等しかった場合、またはステップ＃７４５における判定の結果、視線移動がアスペクト切換方向でなかった場合、またはステップ＃７４７における判定の結果、視線移動はアスペクト切換速度でなかった場合には、アスペクト変更操作中であるか否かの判定を行う（＃７５１）。ここでは、ステップ＃１０６（図７参照）と同様、レリーズ釦２１の半押し、またはＯＫ釦３３の操作中等、アスペクト変更操作部材の操作中であるか否かの判定を行う。この判定の結果、変更操作中であれば、ステップ＃７３５に戻る。
【０１７２】
ステップ＃７４７における判定の結果、視線移動速度がアスペクト切換速度であった場合には、アスペクト切り換えのサブルーチンを実行する（＃７４９）。このアスペクト切り換えでは、視線移動方向と視線移動速度に基づいて、縦横位置およびアスペクト比の変更を行う。アスペクト切り換えを行うと、またはステップ＃７５１における判定の結果、アスペクト変更操作が注視された場合には、設定変更のフローを中止し、元のフローに戻る。
【０１７３】
このように、本実施形態におけるアスペクト切り換えのサブルーチンにおいては、視線領域を視野周辺に配置し、検出された視線領域が上記視野からの距離が離れるほど、上記撮像部の画像データ出力領域のアスペクト比が大きくなるようしている。このため、多数のアスペクトに変更可能な撮影装置においても、手動で操作部材を操作しなくても、ファイダ内の視線領域を変えるだけで、アスペクトを切り換えることができる。しかも、一段ずつ変更する必要がなく、視線領域を見る際の視線の移動速度を変えるだけで簡単に所望とするアスペクト比に変更できるので、便利である。なお、本実施形態においては、視野画面の上下左右に視線領域を設けていたが、これに限らず、画面の上下または左右のいずれか一方だけに視線領域を設けるだけでも勿論かまわない。
【０１７４】
以上説明したように、本実施形態においては、ファインダを観察する人の視線を検出し、この検出された視線に応じて、画像データ出力領域の縦横及び／又はアスペクト比を制御するようにしている。このため、縦横やアスペクト比の切り換えを行うにあたって煩雑な指標を必要としない。
【０１７５】
また、従来の撮像装置においては、アスペクト比によって画角が異なり、対角線長が異なるといった問題があった。すなわち、画角が変化してしまうという問題があった。しかし、本発明の実施形態によれば、撮像素子２２１のイメージサークル１２０の対角線はいつも一定であり、画角が変化することがない。
【０１７６】
なお、本発明の各実施形態においては、光学ファイン表示モードでは、可動ミラー２０１で反射された被写体光束による被写体像を観察していた。しかし、これに限らず、例えば、電子ビューファインダ（ＥＶＦ）を配置し、これを接眼レンズを介して観察するようにしても良い。
【０１７７】
また、本発明の各実施形態においては、縦横位置やアスペクト比によって決まる画像データ出力領域の画像データは、前処理回路２２５や画像処理回路２５７によって、撮像素子駆動回路２２３から出力される画像データの中から選択していた。しかし、これに限らず、例えば、撮像素子２２１から読み出す際に、縦横位置やアスペクト比によって決まる範囲についてのみ、画像データを読み出すようにしても良い。
【０１７８】
また、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【０１７９】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１８０】
２１・・・レリーズ釦、２２・・・前ダイアル、２３・・・後ダイアル、２４・・・ボディマウント、３１・・・ＬＶ表示釦、３２・・・十字釦、３３・・・ＯＫ釦、３４・・・パワースイッチ、３５・・・メニュー釦、３６・・・再生釦、３７・・・縦横釦、３８・・・接眼部、３９・・・背面ＬＣＤ、４０・・・コントロールパネル、５０・・・内蔵フラッシュ、１００・・・交換レンズ、１０１・・・撮影光学系、１０３・・・絞り、１０５・・・ピント位置検出機構、１０６・・・ズーム位置検出機構、１０７・・・光学系駆動機構、１０９・・・絞り駆動機構、１１０・・・フレア絞り駆動機構、１１１・・・レンズＣＰＵ、１１３・・・レンズＲＯＭ、１１５・・・レンズＲＡＭ、１２０・・・イメージサークル、２００・・・カメラ本体、２０１・・・可動ミラー、２０３・・・サブミラー、２０４・・・スクリーン、２０５・・・全面ＬＣＤ、２０６・・・ファインダ内表示装置、２０７・・・ペンタプリズム、２０９・・・接眼レンズ、２１０・・・視線検出回路、２１１・・・測光素子、２１２・・・測光処理回路、２１３・・・シャッタ、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３７・・・シャッタ駆動機構、２３９・・・ミラー駆動機構、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点、５０１ａ・・・水平方向切換視線領域、５０１ｂ・・・水平方向切換視線領域、５０３ａ・・・鉛直方向切換視線領域、５０３ｂ・・・鉛直方向切換視線領域、５０５ａ・・・画面外視線領域、５０５ｂ・・・画面外視線領域、５０７ａ・・・画面内視線領域、５０７ｂ・・・画面内視線領域
【図１】
2010171564.tif 000003
【図２】
2010171564.tif 000004
【図３】
2010171564.tif 000005
【図４】
2010171564.tif 000006
【図５】
2010171564.tif 000007
【図６】
2010171564.tif 000008
【図７】
2010171564.tif 000009
【図８】
2010171564.tif 000010
【図９】
2010171564.tif 000011
【図１０】
2010171564.tif 000012
【図１１】
2010171564.tif 000013
【図１２】
2010171564.tif 000014
【図１３】
2010171564.tif 000015
【図１４】
2010171564.tif 000016
【図１５】
2010171564.tif 000017
【図１６】
2010171564.tif 000018
【図１７】
2010171564.tif 000019
【図１８】
2010171564.tif 000020
【図１９】
2010171564.tif 000021
【図２０】
2010171564.tif 000022
【図２１】
2010171564.tif 000023
【図２２】
2010171564.tif 000024
【図２３】
2010171564.tif 000025
【図２４】
2010171564.tif 000026
【図２５】
2010171564.tif 000027
【図２６】
2010171564.tif 000028